(57)【要約】【課題】内部に設計された回路によって交通誘導員の要求に応じて長い笛音または短い笛音を発することが可能な交通誘導棒を提供する。【解決手段】本体１０、第一ボタン２１、第二ボタン２２、信号発生モジュール３０およびスピーカ４０を備える。第一ボタン２１は本体１０の外側表面に配置される。第二ボタン２２は本体１０の外側表面に配置される。信号発生モジュール３０は本体１０に内蔵され、第一ボタン２１および第二ボタン２２に電気的に接続される。スピーカ４０は本体１０に装着され、信号発生モジュール３０に電気的に接続される。【選択図】  図１
0003187866.tif 000002
【実用新案登録請求の範囲】
【請求項１】
本体と、
前記本体の外側表面に配置されている第一ボタンと、
前記本体の外側表面に配置されている第二ボタンと、
前記本体に内蔵され、前記第一ボタンおよび前記第二ボタンに電気的に接続されている信号発生モジュールと、
前記本体に装着され、前記信号発生モジュールに電気的に接続されているスピーカと、を備え、
前記スピーカは、
前記第一ボタンが押されるとき、前記信号発生モジュールから第一音源信号を受信し、長い笛音を出力し、
前記第二ボタンが押されたとき、前記信号発生モジュールから第二音源信号を受信し、複数の短い笛音を出力し、
前記短い笛音の長さが前記長い笛音の長さより短いことを特徴とする交通誘導棒。
【請求項２】
前記信号発生モジュールは、前記第一笛音発生回路および前記第二笛音発生回路を有し、
前記第一笛音発生回路は、前記第一ボタンに電気的に接続されており、前記第一ボタンが押されると第一音源信号を発生し、
前記第二笛音発生回路は、前記第二ボタンに電気的に接続されており、前記第二ボタンが押されると第二音源信号を発生することを特徴とする請求項１に記載の交通誘導棒。  
【請求項３】
前記信号発生モジュールは、保護回路を有し、
前記保護回路は、前記第一笛音発生回路および前記第二笛音発生回路に電気的に接続されており、前記第一笛音発生回路および前記第二笛音発生回路のうち、一方が信号を出力するとき、他方の信号出力を遮断することを特徴とする請求項２に記載の交通誘導棒。
【請求項４】
前記信号発生モジュールは、音量調整回路を有し、
前記音量調整回路は、前記スピーカに電気的に接続されており、前記スピーカへ出力する前記第一音源信号および前記第二音源信号の大きさを制御することで、前記スピーカから出力する音を調整することを特徴とする請求項１に記載の交通誘導棒。
【請求項５】
レーザー発光モジュールをさらに備え、
前記レーザー発光モジュールは、本体に配置されており、指令に応じてレーザー光線を出力することを特徴とする請求項１に記載の交通誘導棒。
【請求項６】
前記レーザー発光モジュールは、前記第二ボタンに電気的に接続されており、前記第二ボタンが押されるとき、レーザー光線を出力することを特徴とする請求項５に記載の交通誘導棒。
【請求項７】
本体は、グリップ、光源、および、透明カバーを有し、
前記透明カバーは、前記グリップに装着されており、
前記光源は、前記透明カバーの中に装着されており、
前記第一ボタンおよび前記第二ボタンは、前記グリップの外側表面に配置されていることを特徴とする請求項１に記載の交通誘導棒。
【請求項８】
スイッチング回路をさらに備え、
前記スイッチング回路は、前記スピーカおよび前記光源に電気的に接続されれており、前記スピーカおよび前記光源の開閉を制御することを特徴とする請求項７に記載の交通誘導棒。
【請求項９】
前記スイッチング回路は、第一スイッチおよび第二スイッチを有し、
前記第一スイッチは、前記光源に電気的に接続されることで前記光源の開閉を制御し、
前記第二スイッチは、前記スピーカに電気的に接続されることで前記スピーカの開閉を制御することを特徴とする請求項８に記載の交通誘導棒。
【請求項１０】
前記光源は、前記信号発生モジュールに電気的に接続されており、前記第一ボタンが押されると、前記信号発生モジュールからの第一光源信号を受信し、第一照明パタンの通り光を発生し、前記第二ボタンが押されると、前記信号発生モジュールからの第二光源信号を受信し、前記第一照明パタンと異なる第二照明パタンの通り光を発生することを特徴とする請求項７に記載の交通誘導棒。
【考案の詳細な説明】
【技術分野】
【０００１】
本考案は、交通誘導棒に関するものである。
【背景技術】
【０００２】
工業科学技術の進歩に伴い交通手段が普及してきた。走行中の交通手段の秩序を維持するために、通勤ラッシュ時間帯に交通誘導員（交通警察官またはボランティア）は交差点で交通整理をする。交通誘導員は交通整理をおこなう際、交通誘導棒を持つことが一般的である。交通誘導棒は光源を有し、光源の光がちらつくことによって交通誘導棒の効果を達成する。
【０００３】
交通誘導棒のほかに笛が交通誘導員によく使用される。笛によって高い音を発し、ドライバに注意を集中させ、交通誘導員の誘導に従わせる。しかしながら、交通誘導員は長時間にわたって笛を使い、音を出す際、口の力が必要であるため、口の辺りの筋肉に不快な感じを与える。また、笛音を出す際の妨害を避けるため、マスクを着用しないため、交通手段から出た排気ガスを吸入する。
【考案の概要】
【考案が解決しようとする課題】
【０００４】
本考案は、内部に設計された回路によって交通誘導員の要求に応じて長い笛音または短い笛音を発することが可能な交通誘導棒を提供することを主な目的とする。
【課題を解決するための手段】
【０００５】
上述の目的を達成するために、本考案による交通誘導棒は、本体、第一ボタン、第二ボタン、信号発生モジュールおよびスピーカを備える。第一ボタンは本体の外側表面に配置される。第二ボタンは本体の外側表面に配置される。信号発生モジュールは本体に内蔵され、第一ボタンおよび第二ボタンに電気的に接続される。スピーカは本体に装着され、信号発生モジュールに電気的に接続される。
【０００６】
第一ボタンを押すと、信号発生モジュールが第一音源信号をスピーカに出力する際、スピーカは長い笛音を発する。第二ボタンを押すと、信号発生モジュールが第二音源信号をスピーカに出力する際、スピーカは複数の短い笛音を発する。短い笛音を流す時間は長い笛音を流す時間より短い。
【０００７】
上述したとおり、本考案は交通誘導棒の内部に設計された回路によって交通誘導員の要求に応じて長いまたは短い笛音を発し、交通誘導員に交通整理の利便性をもたらすことができる。
【図面の簡単な説明】
【０００８】
【図１】本考案の一実施形態による交通誘導棒を示す斜視図である。
【図２】本考案の一実施形態による交通誘導棒の内部回路を示す模式図である。
【考案を実施するための形態】
【０００９】
以下、本考案の実施形態による交通誘導棒を図面に基づいて説明する。
（一実施形態）
図１に示すように、本考案の一実施形態による交通誘導棒１００は、本体１０、第一ボタン２１、第二ボタン２２、信号発生モジュール３０、スピーカ４０、レーザー発光モジュール５０およびスイッチング回路６０を備える。
【００１０】
本体１０は、グリップ１２、柱状ランプ１４および透明カバー１６を有する。柱状ランプ１４はグリップ１２の一端に装着され、複数の光源１４１を有する。透明カバー１６はグリップ１２上の柱状ランプ１４に被さるため、光源１４１は透明カバー１６の中に位置する。本実施形態において、光源１４１はＬＥＤランプである。
【００１１】
交通誘導員に第一ボタン２１および第二ボタン２２を区別させるために、第一ボタン２１および第二ボタン２２はそれぞれ本体１０の外側表面に配置され、かつ形が異なる。本実施形態において、第一ボタン２１は三角形であるが、これに限らず、状況に応じて別の形であってもよい。第二ボタン２２は円形であるが、これに限らず、状況に応じて別の形であってもよい。
【００１２】
信号発生モジュール３０は、本体１０のグリップ１２に内蔵されるが、これに限らず、状況に応じて柱状ランプ１４の中または本体１０の内部の別の部位に配置されてもよい。図２に示すように、信号発生モジュール３０は第一笛音発生回路３１、第二笛音発生回路３２、第一光源信号回路３３、第二光源信号回路３４、二つの保護回路３５、３６および音量調整回路３７を有する。
【００１３】
第一笛音発生回路３１は、第一ボタン２１に電気的に接続される。第一ボタン２１を押すと、第一笛音発生回路３１は第一音源信号を発する。第二笛音発生回路３２は第二ボタン２２に電気的に接続される。第二ボタン２２を押すと、第二笛音発生回路３２は第二音源信号を発する。
【００１４】
第一光源信号回路３３は、第一笛音発生回路３１に電気的に接続される。第一笛音発生回路３１が第一音源信号を発する際、第一光源信号回路３３は第一光源信号を生じる。第二光源信号回路３４は第二笛音発生回路３２に電気的に接続される。第二笛音発生回路３２が第二音源信号を発する際、第二光源信号回路３４は第二光源信号を生じる。
【００１５】
保護回路３５は、一端が第一光源信号回路３３および第二光源信号回路３４に電気的に接続される。第一光源信号回路３３および第二光源信号回路３４のうちの一つが信号を出力する際、別の一つは保護回路３５によって遮断され、信号を出力できないため、一つだけの第一光源信号または第二光源信号は保護回路３５を通って保護回路３５の他端から流出する。保護回路３５は他端が光源１４１に電気的に接続される。光源１４１は第一光源信号をキャッチする際、第一照明パタンによって光を生じ、第二光源信号をキャッチする際、第二照明パタンによって光を生じる。第二照明パタンは第一照明パタンと違う。本実施形態において、第一照明パタンは普通に発光する。第二照明パタンは早く点滅するが、これに限らない。
【００１６】
保護回路３６は、一端が第一笛音発生回路３１および第二笛音発生回路３２に電気的に接続される。第一笛音発生回路３１および第二笛音発生回路３２のうちの一つが信号を出力する際、別の一つは保護回路３６によって遮断され、信号を出力できないため、一つだけの第一音源信号または第二音源信号は保護回路３６を通って保護回路３６の他端から流出する。
【００１７】
音量調整回路３７は、保護回路３６の他端に電気的に接続されることで信号発生モジュール３０から出力された第一音源信号および第二音源信号の大きさを制御する。
【００１８】
スピーカ４０は、本体１０のグリップ１２の下方に装着され、信号発生モジュール３０の音量調整回路３７に電気的に接続されることで第一音源信号または第二音源信号をキャッチする。スピーカ４０は第一音源信号をキャッチする際、長い笛音を発し、第二音源信号をキャッチする際、複数の短い笛音を発する。一方、スピーカ４０から放出された笛音の大きさは、スピーカ４０のキャッチした第一音源信号および第二音源信号の大きさに比例するように変わる。一方、本考案は状況に応じてスピーカ４０を本体１０上の任意の部位に位置させることができる。
【００１９】
レーザー発光モジュール５０は、本体１０のグリップ１２と透明カバー１６の連結箇所に装着され、指令に応じてレーザー光線を放出する。本実施形態において、レーザー発光モジュール５０は第二ボタン２２に電気的に接続される。第二ボタン２２を押すと、レーザー発光モジュール５０はレーザー光線を放出する。一方、レーザー発光モジュール５０は、上述に限らず、状況に応じて別の押しボタンまたはコントローラの制御を受け、レーザー光線を放出することができる。
【００２０】
スイッチング回路６０は、光源１４１、スピーカ４０およびレーザー発光モジュール５０に電気的に接続されることで、光源１４１、スピーカ４０およびレーザー発光モジュール５０の開閉を制御する。本実施形態において、スイッチング回路６０は第一スイッチ６１および第二スイッチ６２を有する。第一スイッチ６１は光源１４１に電気的に接続されることで光源１４１の開閉を制御する。第二スイッチ６２はスピーカ４０およびレーザー発光モジュール５０に電気的に接続されることで、スピーカ４０およびレーザー発光モジュール５０の開閉を制御する。実際に本考案は上述に限らず、一つのスイッチによって光源１４１、スピーカ４０およびレーザー発光モジュール５０を同時に制御するか、異なるスイッチによって光源１４１、スピーカ４０およびレーザー発光モジュール５０を別々に制御することができる。
【００２１】
上述した通り設計された交通誘導棒１００を使用する際、第一ボタン２１または第二ボタン２２を押せば、交通誘導棒１００のスピーカ４０から長いまたは短い笛音が出る。光源１４１によって普通に発光するか、光を点滅させればドライバーに注意を集中させ、交通整理の目的を達成することができる。交通誘導員が特定の交通手段のドライバーに指示（前進または後退）を出す際、レーザー発光モジュール５０から放出されたレーザー光線によってドライバーを指定し、同時に点滅ライトまたは短い笛音によって指定対象となるドライバーに注意を呼び起こせば、別のドライバーを勘違いさせることを避けることができるだけでなく、交通整理の便をはかることができる。
【００２２】
一方、本考案は二つの保護回路３５、３６を採用するため、第一光源信号および第二光源信号を光源１４１に同時にキャッチさせ、第一音源信号および第二音源信号をスピーカ４０に同時にキャッチさせることが発生しないだけでなく、光源１４１の照明パタンおよびスピーカ４０から出た笛音が混乱することを効果的に避けることができる。
【００２３】
一方、交通誘導棒は指令に応じて長いまたは短い笛音を発することができるため、交通誘導員は交通整理をする際、笛を使用する必要がなくなり、口のあたりの筋肉に不快な感じを与えることを解消し、マスクを着用することができるだけでなく、長期にわたって交通手段から出た排気ガスを吸入し、健康を損なってしまうことを避けることができる。
【００２４】
以上、本考案は、上記実施形態になんら限定されるものではなく、考案の趣旨を逸脱しない範囲において種々の形態で実施可能である。
【符号の説明】
【００２５】
１００：交通誘導棒、
１０：本体、
１２：グリップ、
１４：柱状ランプ、
１４１：光源、
１６：透明カバー、
２１：第一ボタン、
２２：第二ボタン、
３０：信号発生モジュール、
３１：第一笛音発生回路、
３２：第二笛音発生回路、
３３：第一光源信号回路、
３４：第二光源信号回路、
３５：保護回路、
３６：保護回路、
３７：音量調整回路、
４０：スピーカ、
５０：レーザー発光モジュール。
６０：スイッチング回路、
６１：第一スイッチ、
６２：第二スイッチ。
【図１】
0003187866.tif 000003
【図２】
0003187866.tif 000004